(57)【要約】【課題】比較対象を用いずに紙に書き込まれる記録線の線かすれや線抜けの書き込み異常を検知し、警告を行う記録異常監視装置を提供すること。また、紙に書き込まれた記録線に基づいて、データ異常を検知すること。【解決手段】記録異常監視装置１は、記録計２によって紙に書き込まれた記録線を読取センサ部１０にて読み取り、読み取られた記録線の性質について異常を警報制御部２０は検知して、警報を出力する。また、警報制御部２０は、読取センサ部１０にて読み取られた記録線が、記録線の性質における異常である書き込み異常であるか判定する判定部と、判定部の結果に応じて、予め用意されている複数の警報から出力する警報を決定する警報決定部と、を備える。【選択図】図１
2010133754.tif 000002
【特許請求の範囲】
【請求項１】
記録計によって紙に書き込まれた記録線を読み取る読取センサ部と、
前記読取センサ部にて読み取られた記録線について異常であることを検知したことに応じて、警報を出力する警報制御部と、
を備えた記録異常監視装置。
【請求項２】
前記警報制御部は、
前記読取センサ部にて読み取られた記録線が、当該記録線の性質における異常である書き込み異常であるか、または、当該記録線の形状における異常であるデータ異常であるか否かを判定する判定部と、
前記判定部の判定結果に応じて、予め用意されている複数の警報から出力する警報を決定する警報決定部と、
を備える請求項１に記載の記録異常監視装置。
【請求項３】
サーバ装置と記録異常監視装置とがネットワークを介して接続されている記録異常監視システムであって、
前記記録異常監視装置は、
記録計によって紙に書き込まれた記録線を読み取る読取センサ部と、
前記読取センサ部にて読み取られた記録線について異常を検知したことに応じて、警報を前記サーバ装置へ送信する警報制御部と、
を備え、
前記サーバ装置は、
前記警報制御部から前記警報を受信する受信部と、
前記受信部にて前記警報を受信したことに応じて、前記警報を出力する出力部と、
を備える記録異常監視システム。
【請求項４】
前記警報制御部は、当該記録線の性質における異常である書き込み異常であるか、または、当該記録線の形状における異常であるデータ異常であるか否かを判定する判定部と、
前記判定部の判定結果に応じて、予め用意されている複数の警報から出力する警報を決定する警報決定部と、
前記警報決定部にて決定された警報を送信する送信部と、
を備える請求項３に記載の記録異常監視システム。
【発明の詳細な説明】
【技術分野】
【０００１】
本発明は、記録計により紙に書き込まれる記録線の異常を監視する記録異常監視装置およびシステムに関する。
【背景技術】
【０００２】
従来から、記録計を用いて、計器類のデータを記録線として紙に印字することがある。計器類のデータを記録線として紙に書き込む場合に、記録計のインクが切れてしまうこと等により記録線が途切れてしまうことは、記録の欠損に繋がる。そのため、記録線が途切れる直前に、または、途切れてすぐに、オペレータ等に知らせる必要がある。
【０００３】
また、従来技術として、記録線ではないが、文字の印字かすれや印字抜けを検知し、オペレータ等に知らせる装置がある（特許文献１）。特許文献１に記載の方法では、印字結果を光学式に読み取り、予めメモリに登録されている基準黒ビット数のデータと比較して、印字かすれや印字抜けが発生しているかを検知し、発生している場合に警報を発する。
【特許文献１】特開平８−２５７６３号公報
【発明の開示】
【発明が解決しようとする課題】
【０００４】
しかしながら、特許文献１に記載の方法では、印字結果の比較対象である基準黒ビット数をメモリに登録しておく必要がある。そのため、記録線を紙に書き込む場合には線の形状に応じて基準黒ビットをメモリに登録しておく必要があるが、線の形状は数多く、それら全ての基準黒ビットをメモリに登録するのは困難である。
【０００５】
また、特許文献１に記載の方法では、基準黒ビット数を用いて印字かすれや印字抜けが起きているか検知するために、インクジェット方式等のインパクト方式でない装置により紙に書き込まれるものについては印字かすれや印字抜けが起きているか検知することができない。更に、特許文献１に記載の方法では、印字内容の異常、すなわち、データ異常を検知することはできない。
【０００６】
本発明は、上記課題に鑑み、比較対象を用いずに紙に書き込まれる記録線の線かすれや線抜けの書き込み異常を検知し、警告を行う記録異常監視装置を提供することを目的とする。また、紙に書き込まれた記録線に基づいて、データ異常を検知することを目的とする。
【課題を解決するための手段】
【０００７】
（１）記録計によって紙に書き込まれた記録線を読み取る読取センサ部と、前記読取センサ部にて読み取られた記録線について異常を検知したことに応じて、警報を出力する警報制御部と、を備えた記録異常監視装置。
【０００８】
（１）の構成によると、記録異常監視装置は、記録計によって紙に書き込まれた記録線を読取センサ部にて読み取り、読み取られた記録線の性質について異常を警報制御部は検知して、警報を出力する。ここで、記録線の性質とは、記録線の線幅や濃さ、記録線の位置、記録線の形状等の線を特徴付ける情報である。
【０００９】
記録線の性質における異常を検知し、警報を出力することにより、記録線が途切れる直前に、または、途切れてすぐに、オペレータ等に知らせることができる。その結果、記録の欠損を防ぐことができる。また、記録線の形状における異常を検知し、警報を出力することにより、記録計が備えられている計器類のデータ異常を知らせることができる。その結果、オペレータがデータ異常の原因であるトラブルに迅速に対応することができる。
【００１０】
（２）前記警報制御部は、前記読取センサ部にて読み取られた記録線が、記録線の性質における異常である書き込み異常であるか、または、記録線の形状における異常であるデータ異常であるか否かを判定する判定部と、前記判定部の判定結果に応じて、予め用意されている複数の警報から出力する警報を決定する警報決定部と、を備える（１）に記載の記録異常監視装置。
【００１１】
（２）の構成によると、記録異常監視装置の警報制御部は、前記読取センサ部にて読み取られた記録線が、記録線の性質における異常である書き込み異常であるか、判定部にて判定された結果に応じて、警報決定部は予め用意されている複数の警報から出力する警報を決定する。
【００１２】
記録線の異常の種類に応じて、出力する警報を変えることができることにより、オペレータは、記録計を確認することなしに警報により異常の種類を判別することができる。その結果、オペレータが異常に対し、迅速に対応することができる。
【００１３】
（３）サーバ装置と記録異常監視装置とがネットワークを介して接続されている記録異常監視システムであって、前記記録異常監視装置は、記録計によって紙に書き込まれた記録線を読み取る読取センサ部と、前記読取センサ部にて読み取られた記録線について異常を検知したことに応じて、警報を前記サーバ装置へ送信する警報制御部と、を備え、前記サーバ装置は、前記警報送信部から前記警報を受信する受信部と、前記受信部にて前記警報を受信したことに応じて、前記警報を出力する出力部と、を備える記録異常監視システム。
【００１４】
（４）前記警報制御部は、前記記録線の性質における異常である書き込み異常であるか、または、記録線の形状における異常であるデータ異常であるか否かを判定する判定部と、前記判定部の判定結果に応じて、予め用意されている複数の警報から出力する警報を決定する警報決定部と、を備える（３）に記載の記録異常監視システム。
【発明の効果】
【００１５】
本発明によれば、比較対象を用いずに紙に書き込まれる記録線の線かすれや線抜けの書き込み異常を検知し、警告を行う記録異常監視装置を提供することができる。また、紙に書き込まれた記録線に基づいて、データ異常を検知することができる。
【発明を実施するための最良の形態】
【００１６】
以下、本発明を実施するための最良の形態について図を参照しながら説明する。なお、これはあくまでも一例であって、本発明の技術的範囲はこれに限られるものではない。
【００１７】
（第１実施形態）
［全体構成］
図１は、本発明の第１実施形態に係る記録異常監視装置の全体構成を示す図である。記録異常監視装置１は、紙に書き込まれた記録線を監視する装置である。記録異常監視装置１は、記録計２に備え付けられ、読取センサ部１０と警報制御部２０とを備える。
【００１８】
ここで、記録計２とは、環境監視計器や発電温度計器等の計器類の記録を行う装置であり、計器類のデータを記録線として紙に書き込む。記録線が書き込まれる紙の種類は問わず、例えば、普通紙、感圧紙、感熱紙がある。図示していないが、記録計２には、紙に記録線を書き込む記録ヘッドが備えられている。また、紙に書き込まれる記録線は複数であってもよい。
【００１９】
記録ヘッドは記録線を書き込む紙の種類に応じて異なり、例えば、普通紙の場合にはインクにて記録線を書き込むためのインクヘッドであり、感熱紙の場合には熱エネルギーで記録線を書き込むためのサーマルヘッドである。なお、記録異常監視装置１の機能を記録計２が備え、記録異常検知機能付き記録計としても可能である。
【００２０】
読取センサ部１０は紙から所定の距離をあけるように記録計に備えられ、紙に書き込まれた記録線を読み取る。所定の距離の最小は読取センサ部１０と紙とが接する距離０であり、最大は、読取センサ部１０が記録線を読み取れる限界の距離である。また、読取センサ部１０は読み取った記録線の情報を判定部２１（図２に図示）へ送信する。
【００２１】
読取センサ部１０としては、例えば、ＣＣＤラインセンサ、ＣＩＳラインセンサ、磁気インク読み取り装置がある。ＣＣＤラインセンサとは、光源から紙面に光を照射し、反射した光を更に鏡で反射させ、レンズを通して一列に並べられたＣＣＤで受光することにより、紙に書き込まれている文字等を読み取る。一方、ＣＩＳラインセンサとは、ＲＧＢ各色のＬＥＤを光源とした光を順に紙面に照射し、反射してきた光を一列に並べられたＣＩＳで順次受取することにより、紙に書き込まれている文字等を読み取る。ＣＣＤラインセンサおよびＣＩＳラインセンサは、スキャナに利用されている。
【００２２】
磁気インク読み取り装置は、磁気を帯びた特殊なインク（磁気インク）で印刷された文字等を読み取る装置である。そのため、記録線が磁気インクによって書き込まれる場合に、磁気インク読み取り装置を読取センサ部１０として用いることができる。
【００２３】
ところで、記録線は継続的に書き込まれるものであるので、読取センサ部１０が記録を読み込むタイミングは、一定時間毎や記録線が書き込まれた紙の長さが一定の長さに達する毎とするのが望ましい。一定時間や紙の一定の長さは任意であり、記録計毎に変えてもよい。読取センサ部１０が一定時間毎に記録線を読み込む場合には、その一定時間に書き込まれた記録線が読み込まれる。または、読取センサ部１０が記録線を書き込んだ紙の長さが一定の長さに達する毎に記録線を読み込む場合には、読取センサ部１０はその長さ分の記録線が読み込まれる。
【００２４】
［機能構成］
図２は、本発明の第１実施形態に係る記録異常監視装置１に備えられた警報制御部２０の機能構成を示す図である。警報制御部２０は、読取センサ部１０にて読み取った記録線の性質、または、形状について正常であるか異常であるかを判定し、記録線が異常であるという判定結果の場合に警報を出力する。なお、記録線が正常であるという判定結果の場合であっても、それを知らせる警報を出力してもよい。警報制御部２０は、判定部２１と、警報決定部２２と、出力部２３と、記憶部２４と、を備える。
【００２５】
ここで、記録線の異常には、書き込み異常と、データ異常とが含まれる。更に、書き込み異常には、記録線が紙に書き込まれていない異常と、紙に書き込まれた記録線が不鮮明である異常とが含まれる。一方、記録線が正常であるとは、書き込み異常もデータ異常も生じていない状態をいう。
【００２６】
判定部２１は、読取センサ部１０が読み取った記録線の情報を読取センサ部１０から受信する。判定部２１は、受信した記録線の情報に基づいて、紙に書き込まれた記録線が異常であるか否かを判定する。上述したように記録線の異常には書き込み異常と、データ異常とがあるので、それぞれについて説明する。
【００２７】
書き込み異常のうち記録線が紙に書き込まれていない異常については、読取センサ部１０から受信した記録線の情報に基づいて、記録線が連続しているか否かにて判定する。記録線が連続していないと判定した場合に、その判定結果を警報決定部２２へ送信する。
【００２８】
また、書き込み異常のうち紙に書き込まれた記録線が不鮮明である異常については、読取センサ部１０から受信した記録線の情報に基づいて、記録線の線幅が所定の幅以上であるか、記録線の濃さが所定の濃さ以上であるか否か判断する。なお、所定の幅の情報、および所定の濃さの情報はメモリ等に予め記憶しておく必要がある。記録線の線幅が所定の幅未満である、または、記録線の濃さが所定の濃さ未満であると判定した場合に、その判定結果を警報決定部２２へ送信する。記録線の線幅と濃さとを同時に判定して１つの判定結果を警報決定部２２へ送信してもよいし、記録線の線幅と濃さとを別々に判定し、それぞれの判定結果を警報決定部２２へ送信してもよい。
【００２９】
このようにして書き込み異常を検知することにより、記録計のインク切れや記録計の記録ヘッド異常を検知し、警報を発することができる。また、記録線の線幅と濃さとから記憶線が不鮮明である状態を検知することにより、記録計のインク切れが近いことや記録計の記録ヘッド異常を検知し、警報を発することができる。
【００３０】
また、判定部２１は、記録線にデータ異常が生じているか否かを判定する。記録線にデータ異常が生じているか否かについては、読取センサ部１０から受信した記録線の情報と記憶部２４に記録されている過去の記録線の情報と、を比較することにより判定する。具体的には、読取センサ部１０から受信した記録線の情報と記憶部２４に記録されている過去の記録線の情報との差異が所定以上の場合にデータ異常が生じていると判定し、その結果を警報決定部２２へ送信する。
【００３１】
読取センサ部１０から受信した記録線の情報と記憶部２４に記録されている過去の記録線の情報との差異とは、例えば、読取センサ部１０から受信した記録線の形状と過去の記録線の形状との一致度から求める。差異の尺度として一致度を用いる場合に差異が所定以上であるとは、例えば、一致度が７０％以下のことである。また、それぞれの記録線から数点抽出し、それらの点の紙における位置を比較し、位置のずれの平均を差異としてもよい。差異の尺度として位置のずれの平均を用いる場合に差異が所定以上であるとは、例えば、平均の位置のずれが１ｃｍ以上であることである。
【００３２】
なお、読取センサ部１０から受信した記録線が複数である場合には、それぞれの過去の記録線を記憶部２４から取得し、比較する。複数の記録線の区別は、色や記録線が書き込まれる位置等によって行う。
【００３３】
このようにして、過去の記録線の情報を用いてデータ異常を検知するができ、オペレータ等に警報を発することができる。その結果、オペレータは、記録計２が備えられている計器類のデータ異常を知ることができ、データ異常の原因であるトラブルに迅速に対応することができる。
【００３４】
警報決定部２２は、判定部２１から受信した判定結果に応じて、警報を決定する。なお、警報には複数のパターンがあり、音や光等による。ここで、音による警報とは、音声メッセージやサイレン音等の警報音を鳴らすことであり、音の違いによって警報、すなわち、判定結果を区別することができる。なお、音声メッセージやサイレン音等は、予めメモリ等に記憶しておく必要がある。一方、光による警報とは、警報ランプを点灯または点滅させることであり、ランプが点灯か点滅か、または点滅間隔により警報、すなわち、判定結果を区別することができる。更に、ランプ色の異なった複数の警報ランプを用いることで、ランプ色にて警報を区別することもできる。
【００３５】
警報決定部２２は、例えば、判定結果が書き込み異常である場合には「ピーピーピー」という音とし、判定結果がデータ異常の場合に「ウーウーウー」という音とすることができる。更に、警報決定部２２は、書き込み異常を記録線が紙に書き込まれない状態と、紙に書き込まれた記録線が不鮮明である状態とに分けて警報を変えてもよく、判定部２１にて異常の種類を細かく分類しそれぞれに応じた警報を決定するとしてもよい。また、判定結果が、書き込み異常でもデータ異常でもない場合、すなわち、正常に通常通りの記録線が紙に書き込まれている場合には、警報決定部２２は警報決定しなくてもよい。オペレータ等に知らせる必要がないからである。
【００３６】
このように、異常の種類に応じて警報パターンを変えることにより、警報を受けたオペレータは、記録線を確認することなしに受けた警報パターンにより異常の種類を判別することができる。その結果、オペレータが異常に対し、迅速に対応することができる。
【００３７】
出力部２３は、警報決定部２２にて決定された警報に応じて警報を出力する。出力部２３は、例えば、スピーカー、警報ランプであり、警報音を出力したり、警報ランプを点灯や点滅させたりする。それにより、オペレータに異常が発生していることを知らせることができる。
【００３８】
記憶部２４は読取センサ部１０が読み取った記録線の情報を記憶する。具体的には、記録線の線幅や濃さ、記録線の位置、記録線の形状等の記録線の性質が、記録線の情報として記憶部２４に記憶される。記憶部２４に記憶されている記録線の情報は、記録線にデータ異常が生じているか否かを判定する際に用いられる。記憶部２４に記憶されている記録線の情報は、記録線の情報が書き込まれる度に更新されてもよいし、蓄積してもよい。記録線の情報を蓄積する場合には、それらを基に基準となる記録線を求め、求められた基準記録線を記録線にデータ異常が生じているか否かを判定する際に求めるのが望ましい。
【００３９】
［記録異常検知処理］
図３は、本発明の第１実施形態に係る記録異常検知処理のフローチャートである。読取センサ部１０が、紙に書き込まれた記録線を読み込むと処理が開始する。
Ｓ１０：判定部２１は、記録線が連続しているか否かを判定する。判定した結果が、ＹＥＳの場合にはステップＳ２０に処理を移し、ＮＯの場合には、ステップＳ１２に処理を移す。
Ｓ１２：警報決定部２２は、ステップＳ１０で記録線が連続していないと判定、すなわち、記録線が書き込まれていない異常が生じていると判定された結果の警報として、メモリ等に記憶されている記録線が書き込まれていない異常の警報を取得し、出力部２３へ送信する。出力部２３は、記録線が書き込まれていない異常の警報を出力する。
【００４０】
Ｓ２０：判定部２１は、記録線の線幅および濃さに基づいて、記録線が不鮮明であるか否かを判定する。判定した結果が、ＹＥＳの場合にはステップＳ２２に処理を移し、ＮＯの場合には、ステップＳ２４に処理を移す。
Ｓ２２：警報決定部２２は、ステップＳ２０で記録線が不鮮明である異常が生じていると判定された結果の警報として、メモリ等に記憶されている記録線が不鮮明である異常の警報を取得し、出力部２３へ送信する。出力部２３は、記録線が不鮮明である異常の警報を出力する。
【００４１】
Ｓ２４：判定部２１は、記憶部２４から過去の記録線の情報を取得する。
Ｓ３０：判定部２１は、記録線とステップＳ２４で取得した過去の記録線の情報とを比較し、所定以上の差異が生じているか否かを判定する。判定した結果が、ＹＥＳの場合にはステップＳ３２に処理を移し、ＮＯの場合には、ステップＳ３４に処理を移す。
Ｓ３２：警報決定部２２は、ステップＳ３０でデータ異常が生じていると判定された結果の警報として、メモリ等に記憶されているデータ異常の警報を取得し、出力部２３へ送信する。出力部２３は、データ異常の警報を出力する。
Ｓ３４：判定部２１は、読取センサ部１０が読み込んだ記録線の情報を記憶部２４に記憶し、処理を終了する。
【００４２】
なお、紙に書き込まれた記録線が複数ある場合、すなわち、読取センサ部１０が、複数の記録線を読み込んだ場合には、記録線毎にステップＳ１０からステップＳ３４の処理を順に行う。読取センサ部１０が読み込んだ全ての記録線についてステップＳ１０からステップＳ３４の処理が終わると、記録異常検知処理は終了する。
【００４３】
また、図３に示したフローチャートにおいては、記録線が書き込まれていない異常、記録線が不鮮明である異常、データ異常の順に処理を行っているが、処理の順を入れ替えてもよい。
【００４４】
以上のように、記録異常監視装置を記録計に備えることにより、記録線の異常を検知し、オペレータに警報にて異常を知らせることができる。その結果、記録の欠損を防ぐことができる。また、記録線のデータを測定している計器のトラブルや、その計器が備えられている装置等のトラブルに対し、オペレータが迅速な対応を行うことができる。
【００４５】
（第２実施形態）
［全体構成］
第１の実施形態においては、独立した記録異常監視装置１について説明したが、記録異常監視装置１はネットワーク４を介してサーバ等と接続することもできる。第２の実施形態では、その場合の変更点について、説明する。なお、以下で説明する点以外は、前述の第１の実施形態と同様である。また、以下の説明および図面において、第１の実施形態と同様の機能を果たす部分には、同一の符号をつけて、重複する説明を適宜省略する。
【００４６】
図４は、本発明の第２実施形態に係る記録異常監視システム１００の全体構成を示す図である。記録異常監視システム１００は、記録計２に備え付けられた記録異常監視装置１と、記録計２と、サーバ装置３と、を備える。記録異常監視装置１は、記録計により紙に書き込まれた記録線を読み取り、記録線の情報をサーバ装置３へ送信する。サーバ装置３は、記録異常監視装置１から受信した記録線の情報を受信し、記録線に異常が生じているか否か判断し、異常が生じている場合には警報を発する。
【００４７】
［機能構成］
図５は、本発明の第２実施形態に係る記録異常監視システム１００の記録異常監視装置１およびサーバ装置３の機能構成を示す図である。記録異常監視装置１は、読取センサ部１０と、警報制御部２０と、送信部２５とを備える。警報制御部２０は、出力部２３を必ずしも備える必要はない。警報の出力をサーバ装置３にて行うことができるからである。送信部２５は、警報制御部２０にて決定された警報をサーバ装置３へネットワーク４を介して送信する。
【００４８】
サーバ装置３は、受信部３０と、出力部３１と、を備える。受信部３０は、記録異常監視装置１から警報を受信し、出力部３１へ送信する。
【００４９】
出力部３１には、警報ランプ、スピーカーだけでなく、サーバ装置３に備えられるディスプレイも含まれる。ディスプレイには、例えば、異常を知らせるメッセージをポップアップにて表示する。異常を知らせるメッセージは、異常の種類に応じて変えてもよい。また、サーバ装置３とネットワーク４を介して接続されたクライアント端末の出力部にて警報を出力してもよい。
【００５０】
以上のように、記録線の異常を検知する記録異常監視装置１をネットワーク４を介してサーバ装置３と接続することにより、記録異常監視装置１から遠く離れているオペレータにも異常を知らせることができる。また、サーバ装置３に複数の記録異常監視装置１を接続することにより複数の記録計の監視をまとめて行うことができる。その結果、記録計の監視におけるオペレータの負担を軽減することができる。
【００５１】
［ハードウェア構成］
図６は、本発明の第２実施形態にかかるサーバ装置３のハードウェア構成を示す図である。本発明が実施されるサーバは標準的なものでよく、以下に構成の一例を示す。
【００５２】
サーバ装置３は、制御部１３００を構成するＣＰＵ（Ｃｅｎｔｒａｌ  Ｐｒｏｃｅｓｓｉｎｇ  Ｕｎｉｔ）１３１０（マルチプロセッサ構成ではＣＰＵ１３２０等複数のＣＰＵが追加されてもよい）、バスライン１２００、通信Ｉ／Ｆ（Ｉ／Ｆ：インターフェイス）１３３０、メインメモリ１３４０、ＢＩＯＳ（Ｂａｓｉｃ  Ｉｎｐｕｔ  Ｏｕｔｐｕｔ  Ｓｙｓｔｅｍ）１３５０、表示装置１３６０、Ｉ／Ｏコントローラ１３７０、キーボードおよびマウス等の入力装置１３８０、ハードディスク１３９０、光ディスクドライブ１４００、並びに半導体メモリ１４２０を備える。なお、ハードディスク１３９０、光ディスクドライブ１４００、並びに半導体メモリ４２０はまとめて記憶装置１４３０と呼ぶ。
【００５３】
制御部１３００は、サーバ装置３を統括的に制御する部分であり、ハードディスク１３９０（後述）に記憶された各種プログラムを適宜読み出して実行することにより、上述したハードウェアと協働し、本発明に係る各種機能を実現している。
【００５４】
通信Ｉ／Ｆ１３３０は、サーバ装置３が、ネットワーク５００を介してメールサーバと情報を送受信する場合のネットワーク・アダプタである。通信Ｉ／Ｆ１３３０は、モデム、ケーブル・モデムおよびイーサネット（登録商標）・アダプタを含んでよい。
【００５５】
ＢＩＯＳ１３５０は、サーバ装置３の起動時にＣＰＵ１３１０が実行するブートプログラムや、サーバ装置３のハードウェアに依存するプログラム等を記録する。
【００５６】
表示装置１３６０は、ブラウン管表示装置（ＣＲＴ）、液晶表示装置（ＬＣＤ）等のディスプレイ装置を含む。
【００５７】
Ｉ／Ｏコントローラ１３７０には、ハードディスク１３９０、光ディスクドライブ１４００、および半導体メモリ１４２０等の記憶装置１４３０を接続することができる。
【００５８】
入力装置１３８０は、サーバ装置３のユーザによる入力の受け付けを行うものである。
【００５９】
ハードディスク１３９０は、本ハードウェアをサーバ装置３として機能させるための各種プログラム、本発明の機能を実行するプログラムおよび後述するテーブルおよびレコードを記憶する。なお、サーバ装置３は、外部に別途設けたハードディスク（図示せず）を外部記憶装置として利用することもできる。
【００６０】
光ディスクドライブ１４００としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１４１０を使用する。光ディスク１４１０から光ディスクドライブ１４００によりプログラムまたはデータを読み取り、Ｉ／Ｏコントローラ１３７０を介してメインメモリ１３４０またはハードディスク１３９０に提供することもできる。
【００６１】
なお、本発明でいうコンピュータとは、記憶装置１４３０、制御部１３００等を備えた一または複数のサーバ装置３により構成される。なお、記憶部３４は、主としてハードディスク１３９０に実装されるが、既に述べたように、他の記憶装置を用いてもよい。
【００６２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００６３】
【図１】本発明の第１実施形態に係る記録異常監視装置の全体構成を示す図である。
【図２】本発明の第１実施形態に係る記録異常監視装置に備えられた警報制御部の機能構成を示す図である。
【図３】本発明の第１実施形態に係る記録異常検知処理のフローチャートである。
【図４】本発明の第２実施形態に係る記録異常監視システムの全体構成を示す図である。
【図５】本発明の第２実施形態に係る記録異常監視システムの記録異常監視装置およびサーバ装置の機能構成を示す図である。
【図６】本発明の第２実施形態に係るサーバ装置のハードウェア構成を示す図である。
【符号の説明】
【００６４】
１    記録異常監視装置
２    記録計
１０  読取センサ部
２０  警報制御部
【図１】
2010133754.tif 000003
【図２】
2010133754.tif 000004
【図３】
2010133754.tif 000005
【図４】
2010133754.tif 000006
【図５】
2010133754.tif 000007
【図６】
2010133754.tif 000008